(57)【要約】      （修正有）【課題】輸送コストが低く、配送に便利な分解可能な組立て式ソファーを提供する。【解決手段】分解可能な組立て式ソファーは、ソファーフレーム１、座面クッション２、サポート脚３からなり、座面クッション２は面ファスナー４により、ソファーフレーム上面に設置され、サポート脚はネジによりソファーフレーム底面に固定される。ソファーフレームは、座面フレーム５、バックレストフレーム６、アームレストフレーム７を備え、座面フレーム後面には均一に間隔を開け、４個のネジ孔が設置され、座面フレーム側面には２個のネジ孔が設置され、バックレストフレーム側面には２個のネジ孔が設置される。バックレストフレームは４個のボルトで座面フレームに固定され、アームレストフレームも、４個のボルトで、座面フレーム、バックレストフレームに固定される。【選択図】図１
0003184796.tif 000002
【実用新案登録請求の範囲】
【請求項１】
分解可能な組立て式ソファーであって、
ソファーフレーム、座面クッション、サポート脚からなり、
前記座面クッションは、マジックテープ(登録商標)により、前記ソファーフレームの上面に設置され、
前記サポート脚は、ネジにより前記ソファーフレームの底面に固定して接続され、
前記ソファーフレームは、分解可能な組立て式ソファーフレームであり、座面フレーム、バックレストフレーム、アームレストフレームを備え、
前記座面フレームの後面には均一に間隔を開けて、４個のネジ孔を設置し、前記座面フレーム側面には、２個のネジ孔が設置され、
前記バックレストフレームの底部の、前記座面フレーム後ろの４個のネジ孔に対応する位置には、４個の円形貫通孔が設置され、前記バックレストフレーム側面には、２個のネジ孔が設置され、前記バックレストフレームは、４個のボルトにより、前記座面フレームに固定され、
前記アームレストフレーム上の、前記バックレストフレーム側面の２個のネジ孔に対応する位置には、２個の円形貫通孔が設置され、
前記アームレストフレーム上の、前記座面フレーム側面の２個のネジ孔に対応する位置には、２個の横方向の楕円形貫通孔が設置され、
前記アームレストフレームは、４個のボルトにより、前記座面フレーム、前記バックレストフレームに固定されていることを特徴とする分解可能な組立て式ソファー。
【請求項２】
前記アームレストフレームの貫通孔を設置する外表面には、はがすことができるすだれ織り布が設置されていることを特徴とする請求項１に記載の分解可能な組立て式ソファー。
【考案の詳細な説明】
【技術分野】
【０００１】
本考案は家具に関し、特に分解可能な組立て式ソファーに関する。
【背景技術】
【０００２】
ソファーは、日常生活、仕事において、人々が休息するために用いられる家具であり、幅広く普及されている。
【０００３】
従来の木製ソファーの大多数は、全体式ソファーフレームを採用している。そのため、輸送において輸送物件の体積が大きくなり、重量は重くなってしまい、輸送コストも高騰してしまう。しかも、運送スタッフの単独物件配送に不便である。本考案は、従来のソファーの上記した欠点に鑑みてなされたものである。
【考案の概要】
【考案が解決しようとする課題】
【０００４】
本考案が解決しようとする課題は、輸送コストが低く、配送に便利であるという特徴を有する分解可能な組立て式ソファーを提供することである。
【課題を解決するための手段】
【０００５】
上記課題を解決するため、本考案は下記の分解可能な組立て式ソファーを提供する。
【０００６】
本考案の分解可能な組立て式ソファーは、ソファーフレーム、座面クッション、サポート脚からなり、
該座面クッションは、マジックテープ(登録商標)により、該ソファーフレームの上面に設置され、該サポート脚は、ネジにより該ソファーフレームの底面に固定され、
該ソファーフレームは、分解可能な組立て式ソファーフレームであり、座面フレーム、バックレストフレーム、アームレストフレームを備え、
該座面フレームの後面には均一に間隔を開けて、４個のネジ孔が設置され、該座面フレーム側面には、２個のネジ孔が設置され、
該バックレストフレームの底部の、該座面フレーム後ろの４個のネジ孔に対応する位置には、４個の円形貫通孔が設置され、
該バックレストフレーム側面には、２個のネジ孔が設置され、該バックレストフレームは、４個のボルトにより、該座面フレームに固定され、
該アームレストフレーム上の、該バックレストフレーム側面の２個のネジ孔に対応する位置には、２個の円形貫通孔が設置され、
該アームレストフレーム上の、該座面フレーム側面の２個のネジ孔に対応する位置には、２個の横方向の楕円形貫通孔が設置され、
該アームレストフレームは、４個のボルトにより、該座面フレーム、該バックレストフレームに固定されている。
【０００７】
美観のため、該バックレストフレーム、該アームレストフレームの、貫通孔を設置する外表面には、はがすことができるすだれ織り布を設置する。上記した構造を採用することで、ソファーの輸送過程において、数個の部品に分解することができ、各部品はどれも体積が小さく、軽量であるという特徴を備えるため、輸送コストを大幅に節減できる他、運送スタッフの単独物件配送に便利で、各部品間の連接には、はがすことができるすだれ織り布を採用するため、連接部分をカバーすることができ、表面からは連接部品が目にかからず、ソファーの外的美観に悪影響を及ぼすことはない。
【考案の効果】
【０００８】
本考案の分解可能な組立て式ソファーは、輸送コストが低く、配送に便利であり、組立てをスピーディーに行え、耐用性が高く、外観が美しいという効果を有する。
【図面の簡単な説明】
【０００９】
【図１】本考案の分解可能な組立て式ソファーの構造を示す模式図である。
【図２】分解可能な組立て式ソファーフレームの立体分解図である。
【図３】座面フレームとバックレストフレームの立体分解図である。
【考案を実施するための形態】
【００１０】
以下に図面を参照しながら本考案を実施するための最良の形態について詳細に説明する。
＜実施例＞
【００１１】
図1、2、3に示すように、本考案の分解可能な組立て式ソファーは、ソファーフレーム1、座面クッション2、サポート脚3からなる。座面クッション2は、マジックテープ(登録商標)4により、ソファーフレーム1の上面に設置され、サポート脚3は、ネジによりソファーフレーム1の底面に固定されている。ソファーフレーム1は、分解可能な組立て式ソファーフレームであり、座面フレーム5、バックレストフレーム6、アームレストフレーム7を備える。座面フレーム5の後面には均一に間隔を開けて、４個のネジ孔8が設置され、座面フレーム5側面には、２個のネジ孔8が設置されている。バックレストフレーム6の底部の、座面フレーム5後ろの４個のネジ孔8に対応する位置には、４個の円形貫通孔9が設置されている。バックレストフレーム6側面には、２個のネジ孔8が設置され、バックレストフレーム6は、４個のボルト11により、座面フレーム5に固定されている。アームレストフレーム7上の、バックレストフレーム6側面の２個のネジ孔8に対応する位置には、２個の円形貫通孔9が設置されている。アームレストフレーム7上の、座面フレーム5側面の２個のネジ孔8に対応する位置には、２個の横方向の楕円形貫通孔10が設置されている。アームレストフレーム7は、４個のボルト11により、座面フレーム5、バックレストフレーム6に固定されている。バックレストフレーム6、アームレストフレーム7の、貫通孔を設置する外表面には、はがすことができるすだれ織り布12が設置されている。
【００１２】
上記の本考案の名称と内容は、本考案技術内容の説明に用いたものであり、本考案を限定するものではない。本考案に基づく等価応用或いは部品（構造）の転換、置換、数量の増減はすべて、本考案の保護範囲に含むものとする。
【産業上の利用可能性】
【００１３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１４】
1  ソファーフレーム
2  座面クッション
3  サポート脚
4  マジックテープ(登録商標)
5  座面フレーム
6  バックレストフレーム
7  アームレストフレーム
8  ネジ孔
9  円形貫通孔
10  楕円形貫通孔
11  ボルト
12  すだれ織り布
【図１】
0003184796.tif 000003
【図２】
0003184796.tif 000004
【図３】
0003184796.tif 000005
【手続補正書】
【提出日】平成25年5月17日(2013.5.17)
【手続補正１】
【補正対象書類名】実用新案登録請求の範囲
【補正対象項目名】全文
【補正方法】変更
【補正の内容】
【実用新案登録請求の範囲】
【請求項１】
分解可能な組立て式ソファーであって、
ソファーフレーム、座面クッション、サポート脚からなり、
前記座面クッションは、面ファスナーにより、前記ソファーフレームの上面に設置され、
前記サポート脚は、ネジにより前記ソファーフレームの底面に固定して接続され、
前記ソファーフレームは、分解可能な組立て式ソファーフレームであり、座面フレーム、バックレストフレーム、アームレストフレームを備え、
前記座面フレームの後面には均一に間隔を開けて、４個のネジ孔を設置し、前記座面フレーム側面には、２個のネジ孔が設置され、
前記バックレストフレームの底部の、前記座面フレーム後ろの４個のネジ孔に対応する位置には、４個の円形貫通孔が設置され、前記バックレストフレーム側面には、２個のネジ孔が設置され、前記バックレストフレームは、４個のボルトにより、前記座面フレームに固定され、
前記アームレストフレーム上の、前記バックレストフレーム側面の２個のネジ孔に対応する位置には、２個の円形貫通孔が設置され、
前記アームレストフレーム上の、前記座面フレーム側面の２個のネジ孔に対応する位置には、２個の横方向の楕円形貫通孔が設置され、
前記アームレストフレームは、４個のボルトにより、前記座面フレーム、前記バックレストフレームに固定されていることを特徴とする分解可能な組立て式ソファー。
【請求項２】
前記アームレストフレームの貫通孔を設置する外表面には、はがすことができるすだれ織り布が設置されていることを特徴とする請求項１に記載の分解可能な組立て式ソファー。